(57)【特許請求の範囲】
【請求項１】
流体を濾過するフィルタシステムであって、
ハウジングと、
前記ハウジングの内側に配置されたフィルタエレメントと、
濾過される流体の入口と、
濾過された流体の出口と、
前記ハウジングを閉鎖し、前記ハウジングから取り外されると前記ハウジングの内側の前記フィルタエレメントにアクセスを提供するカバーと、
前記フィルタエレメントがない場合に、前記ハウジングが前記カバーによって閉鎖されることを防止する固定デバイスと、
を備え、
前記フィルタエレメントが、少なくとも１つのフィルタエレメント案内通路部を有し、
前記ハウジング又は前記カバーが、少なくとも１つのリム案内通路部を有するリム領域を有し、
前記フィルタエレメントは、前記フィルタエレメントのフィルタ媒体の軸方向端面に固定された第１端部ディスクであって、径方向外側リムを有する第１端部ディスクを含み、
前記第１端部ディスクは、前記径方向外側リムから径方向外側に延びる少なくとも１つの径方向に延びる突起を形成し、
前記少なくとも１つの径方向に延びる突起は、前記径方向外側リムに周方向に延在する自由領域を形成し、
前記少なくとも１つの径方向に延びる突起は、少なくとも１つのフィルタエレメント案内通路部を形成し、
前記ハウジングは、少なくとも１つの軸方向に延びる突起であって、前記ハウジングの開口端面におけるリム領域に形成され、前記ハウジングの開口端面から軸方向にて外側に向かって延びる、少なくとも１つの軸方向に延びる突起を含み、
前記少なくとも１つの軸方向に延びる突起は、前記開口端面に周方向に延びる自由領域を形成し、
前記少なくとも１つの軸方向に延びる突起は、前記少なくとも１つのリム案内通路部を形成し、
前記少なくとも１つのフィルタエレメント案内通路部は、前記少なくとも１つのリム案内通路部とともに周方向に延びる案内通路を形成するように、前記少なくとも１つのリム案内通路部によって形成された対応する前記自由領域に係合し、
前記固定デバイスが、前記カバー上又は前記カバーと前記ハウジングの間に配置された分離要素上に配置された少なくとも１つの固定要素を備え、
前記分離要素はディスク形状を有し、
前記少なくとも１つのフィルタエレメント案内通路部及び前記少なくとも１つのリム案内通路部のうち少なくとも１つは、径方向にて内側に傾斜した傾斜面を有し、
前記傾斜面は前記案内通路を形成し、
前記カバーを前記ハウジングに相対的に回転させたときに、前記少なくとも１つの固定要素が前記案内通路上で案内されるフィルタシステム。
【請求項２】
前記フィルタエレメントが、前記ハウジングと同軸である、請求項１に記載のフィルタシステム。
【請求項３】
前記フィルタエレメントの第１端部ディスクが、前記リム領域に面する端面を有し、前記第１端部ディスクが接続端部ディスクを形成し、前記少なくとも１つのフィルタエレメント案内通路部が、前記接続端部ディスク上に配置される、請求項１に記載のフィルタシステム。
【請求項４】
前記ハウジングが、回転挿入運動によって前記カバーに着脱式に接続される、請求項１に記載のフィルタシステム。
【請求項５】
前記少なくとも１つの固定要素が、弾性ばね要素である、請求項１に記載のフィルタシステム。
【請求項６】
前記少なくとも１つの固定要素が、前記カバーに取り付けられる、請求項１に記載のフィルタシステム。
【請求項７】
前記カバーと前記ハウジングの間に配置された前記分離要素をさらに備え、前記少なくとも１つの固定要素が、前記分離要素に取り付けられる、請求項１に記載のフィルタシステム。
【請求項８】
前記少なくとも１つのフィルタエレメント案内通路部がないか、適合していないか、又は間違って装着されている場合に、前記ハウジングを閉鎖するために前記カバーが前記ハウジングに対して閉鎖方向に移動すると、前記少なくとも１つの固定要素が、前記リム案内通路部の閉塞部に当たり、前記ハウジングを前記カバーで閉鎖することができず、前記ハウジングを開放するために、前記カバーが前記ハウジングに対して開方向に移動すると、前記少なくとも１つの固定要素が、前記リム案内通路部の案内部上で案内されるような方法で、前記少なくとも１つのリム案内通路部が非対称である、請求項１に記載のフィルタシステム。
【請求項９】
前記ハウジング及び前記フィルタエレメントが、円筒形である、請求項１に記載のフィルタシステム。
【請求項１０】
前記フィルタエレメントが、円筒形である、請求項１に記載のフィルタシステム。
【請求項１１】
流体を濾過するフィルタシステムのフィルタエレメントであって、前記フィルタシステムが、内部に前記フィルタエレメントを配置することができるハウジングと、濾過される流体の入口と、濾過された流体の出口と、前記ハウジングの内側に配置された場合に、前記ハウジングを閉鎖し、前記フィルタエレメントへのアクセスを提供するカバーと、前記フィルタエレメントがない場合に、前記カバーによって前記ハウジングが閉鎖されるのを防止する固定デバイスと、
を備え、
前記フィルタエレメントが、前記フィルタエレメントのフィルタ媒体の軸方向端面に固定された第１端部ディスクであって、径方向外側リムを有する第１端部ディスクを含み、
前記第１端部ディスクは、前記径方向外側リムから径方向外側に延びる少なくとも１つの径方向に延びる突起を形成し、
前記少なくとも１つの径方向に延びる突起は、前記径方向外側リムに周方向に延在する自由領域を形成し、
前記少なくとも１つの径方向に延びる突起は、少なくとも１つのフィルタエレメント案内通路部を形成し、
前記ハウジングは、少なくとも１つの軸方向に延びる突起であって、前記ハウジングの開口端面におけるリム領域に形成され、前記ハウジングの開口端面から軸方向にて外側に向かって延びる、少なくとも１つの軸方向に延びる突起を含み、
前記少なくとも１つの軸方向に延びる突起は、前記開口端面に周方向に延びる自由領域を形成し、
前記少なくとも１つの軸方向に延びる突起は、少なくとも１つのリム案内通路部を形成し、
前記少なくとも１つのフィルタエレメント案内通路部は、前記少なくとも１つのリム案内通路部とともに周方向に延びる案内通路を形成するように、前記少なくとも１つのリム案内通路部によって形成された対応する前記自由領域に係合するように構成され、
前記固定デバイスが、前記カバー上又は前記カバーと前記ハウジングの間に配置されるように構成された分離要素上に配置される少なくとも１つの固定要素を備え、
前記分離要素はディスク形状を有し、
前記少なくとも１つのフィルタエレメント案内通路部及び前記少なくとも１つのリム案内通路部のうち少なくとも１つは、径方向にて内側に傾斜した傾斜面を有し、
前記傾斜面は前記案内通路を形成し、
前記カバーを前記ハウジングに相対的に回転させたときに、前記固定デバイスの少なくとも１つの固定要素が前記案内通路上で案内されるフィルタエレメント。
【請求項１２】
前記ハウジングと同軸であるように構成される、請求項１１に記載のフィルタエレメント。
【発明の詳細な説明】
【技術分野】
【０００１】
本発明は、流体（気体、液体）、特に自動車に使用される流体を濾過するフィルタシステムに関する。フィルタシステムは、ハウジング並びに入口及び出口と、好ましくは同軸構成でハウジング内に配置されたフィルタエレメントと、ハウジングを閉鎖し、フィルタエレメントへのアクセスを提供するカバーと、フィルタエレメントがないか、間違った種類であるか、又は間違った方法で装着されている場合にカバーによってハウジングが閉鎖されることを防止する固定デバイスとを備える。
【０００２】
さらに、本発明は、流体、特に自動車に使用される流体を濾過するフィルタシステムのフィルタエレメント、好ましくは同軸の形態又は構成であるフィルタエレメントに関し、フィルタシステムは、内部にフィルタエレメントを配置することができるハウジングと、入口及び出口と、ハウジングを閉鎖し、フィルタエレメントへのアクセスを提供するカバーと、フィルタエレメントがないか、間違った種類であるか、又は間違った方法で装着されている場合にカバーによってハウジングが閉鎖されることを防止する固定デバイスとを備える。
【０００３】
このようなフィルタシステム又はフィルタエレメントは、ガス状又は液状流体を濾過するために使用される。自動車及び産業用エンジンでは、特に燃焼空気又は圧縮空気、燃料、特にディーゼル燃料又はガソリン、電動オイル又は作動油を濾過するためにこのようなフィルタシステムが使用される。
【背景技術】
【０００４】
特許文献１（ＥＰ０９３４１０８Ｂ１）は、内部にフィルタエレメントが配置されたハウジングを有するフィルタシステムを開示している。ハウジングは、フィルタエレメントへのアクセスも提供するカバーによって閉鎖することができる。フィルタエレメントがない場合にカバーがハウジングを閉鎖するのを防止するために、固定要素が設けられる。固定要素がフィルタのハウジング上に配置され、回転自在に支持される。フィルタエレメントを挿入すると、固定要素のレバーアームがフィルタエレメントに寄りかかり、したがって固定要素の閉塞要素を、ハウジング上にカバーを配置できるようにする位置へと配置する。フィルタエレメントがないと、固定要素の閉塞要素の重量及び大きくなった質量の結果、固定要素が、ハウジング上にカバーを配置することを防止する位置へと移動する。
【先行技術文献】
【特許文献】
【０００５】
【特許文献１】ＥＰ０９３４１０８Ｂ１公報
【発明の概要】
【発明が解決しようとする課題】
【０００６】
本発明は、フィルタエレメントがないか、又は間違ったタイプのフィルタエレメントが使用されているか、又はフィルタエレメントが間違った方法で装着されている場合に、簡単で信頼性の高い手段によってハウジングの閉鎖が防止されるような方法で、上記種類のフィルタシステム及びフィルタエレメントを設計するという目的を有する。
【課題を解決するための手段】
【０００７】
本発明によれば、これは、フィルタエレメントが少なくとも１つのフィルタエレメント案内通路部を有し、ハウジング又はカバーのリム領域が少なくとも１つのリム案内通路部を有し、ハウジングを閉鎖する閉鎖運動を実行すると、フィルタエレメント案内通路部及びリム案内通路部が互いに補完して案内通路を形成し、それに沿ってカバー又はハウジング上に設けられた少なくとも１つの固定要素が案内されるという点で達成される。
【０００８】
本発明によれば、フィルタエレメント上及びカバー上又はハウジング上、すなわち、カバー又はハウジング、又はカバー又はハウジングに属する要素上で、キーアンドロック原理に従って相互を固定要素の案内通路に補足する案内通路部が設けられる。リム案内通路部がカバー上に配置されると、固定要素がハウジング上に配置されるか、又はその逆になり、したがって固定要素は、閉鎖運動の実行時に、リム案内通路部及びフィルタエレメント案内通路部に沿って案内することができる。フィルタエレメント案内通路部が装着されていないか、又は装着されたフィルタエレメント案内通路部が小さすぎる場合は、リム案内通路部の前又は後に周方向でギャップが残り、固定要素が、閉鎖運動の実行時に上記ギャップにはまり込み、リム案内通路部の閉塞部に当たる。これにより、フィルタエレメントがない場合だけでなく、リム案内通路部が一致するフィルタエレメント案内通路部によって適切に補足されなかった場合も常に、ハウジングの閉鎖が防止される。これにより、特に不適切な濾過によって引き起こされる損傷が防止される。固定デバイスは、カバーがフィルタヘッドであり、ハウジングがフィルタカップである従来の構成のフィルタシステムでも容易に使用することができる。あるいは、フィルタエレメントの端部ディスク及びフィルタカップの案内通路部の様々な直径によって生成されたギャップが、フィルタカップのねじ込みを防止することもできる。
【０００９】
有利な実施形態では、ハウジング又はカバーのリム領域に面するフィルタエレメントの端面には、フィルタエレメント案内通路部を支持する接続端部ディスクを設けることができる。このような接続端部ディスクは、フィルタ媒体、特に不織フィルタ媒体に必要な支持を提供するために、周知の丸型フィルタエレメントで一般的に使用されている。接続端部ディスクには、フィルタエレメント案内通路部を簡単に備え付けることができ、したがって追加の構成要素は不要である。
【００１０】
ハウジングは回転／プラグイン（挿入）運動によってカバーに着脱式に接続することができるので有利である。したがって、フィルタハウジング及びフィルタエレメントを簡単な方法で軸方向にカバー上に押し込むことができ、その後に回転運動によって、特にねじ又は差し込み接続の方法でその上に固定することができる。
【００１１】
固定要素は、弾性ばね要素とすることができるので有利である。ばね要素を簡単な方法で生成し、装着することができ、これは従来技術で周知の回転自在に支持される固定要素よりも汚損に対して影響を受けにくい。ばね要素はプラスチック又は金属で構成できるので有利である。
【００１２】
別の有利な実施形態では、少なくとも１つの固定要素をカバーに取り付けることができる。ハウジング上にリム案内通路部を配置することができるので有利である。装着するには、フィルタエレメントをこのように最初にハウジングに導入することができ、ここでフィルタエレメント案内通路部及びリム案内通路部が相互を案内通路に補足する。その後、フィルタエレメントを有するハウジングをカバーに接続することができ、ここでカバー上に配置された固定要素が案内通路に沿って案内される。
【００１３】
あるいは、カバーとハウジングの間に延在できる分離又は仕切り要素に、少なくとも１つの固定要素を取り付けることができるので有利である。分離又は仕切り要素は、特にカバーに接続することができる。仕切り要素、特に仕切りディスクは、簡単に少なくとも１つの固定要素を有する分離構成要素として製造することができる。これにより、既に存在するカバー、特にフィルタヘッドに固定要素を後付けすることも可能である。
【００１４】
別の有利な実施形態では、フィルタエレメント案内通路部がないか、間違ったタイプであるか、又は間違って装着されている場合に、カバーがハウジングに対して閉鎖方向に移動すると、固定要素がリム案内通路部の閉塞部に当たり、ハウジングの閉鎖を防止し、カバーがハウジングに対して開方向に移動すると、固定要素がハウジングを開放するためにリム案内通路部の案内部に沿って案内されるような方法で、リム案内通路部を非対称に設計することができる。これにより、間違ったフィルタエレメントを使用したか、又はフィルタエレメントを間違った方法で装着した場合に、カバーをハウジングから簡単に確実に取り外すことができる。フィルタエレメントを設置していない場合にも、カバーを再度解放することができる。
【００１５】
別の有利な実施形態では、ハウジング及びフィルタエレメントを円筒形にすることができ、特にフィルタエレメントは丸型フィルタエレメントである。円筒形のフィルタエレメント及びハウジングの場合、アクティブフィルタ表面、したがってフィルタ効率と空間要件の間に有益な比率が存在する。
【発明の効果】
【００１６】
目的は、フィルタエレメントが少なくとも１つのフィルタエレメント案内通路部を有し、ハウジング又はカバーのリム領域が少なくとも１つのリム案内通路部を有し、フィルタエレメント案内通路部及びリム案内通路部が相互を案内通路に補足して、それに沿ってカバー又はハウジング上に設けられた少なくとも１つの固定要素が閉鎖運動の実行時に案内されるという点で、さらに解決される。フィルタシステムの利点はフィルタエレメントにも当てはまる。
【図面の簡単な説明】
【００１７】
本発明の別の利点、特徴及び詳細は、本発明の実施形態を図面の補助によりさらに詳細に説明する以下の説明から理解することができる。当業者は、図面、説明及び特許請求の範囲を組み合わせて図示され、説明された特徴を便宜上個々に考慮し、それを他の有用な組合せと組み合わせることもできる。
【図１】フィルタエレメントがないか、間違ったタイプであるか、又は間違った方法で装着されている場合に、フィルタカップがフィルタヘッドで閉鎖されるのを防止する固定デバイスの領域で、フィルタシステムの第１の実施形態の詳細図を縦断面図で概略的に示す。
【図２】固定デバイスの領域で図１のフィルタシステムを断面図で概略的に示す。
【図３】図１のフィルタカップのリム領域の詳細を等角図で概略的に示す。
【図４】開放運動中に固定デバイスの領域にフィルタエレメントがない図１のフィルタシステムを断面図で概略的に示す。
【図５】閉鎖運動中の図４のフィルタシステムを概略的に示す。
【図６】固定デバイスの固定ばね要素がフィルタヘッドとフィルタカップの間の仕切り要素上に配置されたフィルタシステムの第２の実施形態の詳細図を概略的に示す。
【図７】固定ばね要素を数回曲げた図１から図５のフィルタシステムと同様のフィルタシステムの第３の実施形態の詳細図を概略的に示す。
【図８】固定ばね要素を数回曲げた図６のフィルタシステムと同様のフィルタシステムの第４の実施形態の詳細図を概略的に示す。
【発明を実施するための形態】
【００１８】
図１は、自動車の液体又はガス状流体を濾過するために、全体として参照番号１０で示したフィルタシステム１０の半分を断面図で示す。フィルタシステム１０は、全体として、図１に示す対称軸に対称である。以下で「半径方向」、「軸方向」及び「周方向」という用語を使用する場合、これはフィルタシステムの装着状態で対称軸を意味する。装着されていない場合に、個々の構成要素にも同じことが当てはまる。
【００１９】
フィルタシステム１０は、例えば燃焼空気又は圧縮空気、燃料、特にディーゼル燃料又はガソリン、電動オイル又は作動油の濾過に使用することができる。
【００２０】
フィルタシステム１０は、形状安定材料、例えばプラスチック材料のフィルタヘッド１４及びフィルタカップ１６を備える。フィルタヘッド１４に向かって開いているフィルタカップ１６は、そのリム領域１８にて半径方向の外周側に雄ねじ２０を有する。フィルタヘッド１４は、フィルタカップ１６に向かって開き、階段状で、雄ねじ２０と一致する雌ねじを設けたカップ状の受け領域２２を有する。フィルタカップ１６は、そのリム領域１８が回転プラグイン（挿入）運動によって吊り下げ位置の下からフィルタヘッド１４の受け領域２２に入ると、ねじ込まれる。フィルタカップ１６は、これによりフィルタヘッド１４に着脱式に接続され、濾過される流体の環状入口空間２４及びフィルタヘッド１４内の濾過された流体の出口通路２６へと機能的に接続される。
【００２１】
フィルタカップ１６の半径方向外周側には、さらにシール溝があり、この中にフィルタヘッド１４に対してフィルタカップ１６を密封するＯリングシール２３が配置されている。
【００２２】
フィルタカップ１６内には、フィルタシステム１０の交換可能な丸型フィルタエレメント２８が対称軸１２に対して軸方向に挿入される。
【００２３】
丸型フィルタエレメント２８は、フィルタカップ１６のリム領域１８に面する端面に接続端部ディスク３６を有する。フィルタカップ１６のリム領域１８に面さず、図１に示されていない端面では、丸型フィルタエレメント２８は第２の端部ディスクを有し、その基底表面領域は接続端部ディスク３６と平行に延在する。流体浸透性支持パイプ３８が接続端部ディスク３６と第２の端部ディスクの間に延在する。接続端部ディスク３６、第２の端部ディスク、及び支持パイプ３８は、プラスチック材料から作成される。
【００２４】
支持パイプ３８は、ジグザグ形の折り畳んだ不織材料のフィルタ蛇腹部という形態のフィルタ媒体４０によって囲まれている。支持パイプ３８は、フィルタ媒体４０の浄化された流体側を形成するフィルタ媒体４０の内部４２を画成する。
【００２５】
フィルタ媒体４０は、フィルタ媒体４０の濾過されていない流体側を形成する環状入口空間４４によって囲まれている。環状入口空間４４は、接続端部ディスク３６に設けられた幾つかの貫通穴４６によってフィルタヘッド１４の環状入口空間２４に接続される。濾過される流体は、環状入口空間２４から矢印４８の方向に環状入口空間４４内へと流れることができる。貫通開口４６が、フィルタ媒体４０と接続端部ディスク３６の半径方向外側リム領域６６の間の領域に均一に分布して配置される。これは特に図２に示されている。フィルタ媒体４０を通って、濾過される流体が外部から内部へと半径方向に、図１に示すような矢印４８及び５２の方向で環状入口空間４４から内部４２へと流れることができる。
【００２６】
接続端部ディスク３６は、支持パイプ３８と同心円状の端部ディスク開口５４を有する。中空の円筒形接続ソケット５６が端部ディスク開口５４を囲み、支持パイプ３８に面していない接続端部ディスク３６の基底表面にて軸方向外側に延在する。
【００２７】
図１に示した装着位置で、接続ピン５６がフィルタヘッド１４の受けスリーブ５８内に配置される。接続ソケット５６の半径方向外周側には、Ｏリングシール６２を有する周方向のシール溝がある。
【００２８】
受けスリーブ５８の内部には、濾過された流体の出口通路２６が軸方向に延在し、出口通路２６はフィルタシステム１０のフィルタヘッド１４の端部を越えて延在する。濾過された流体は、丸型フィルタエレメント２８の内部４２から端部ディスク開口５４及び接続ソケット５６の内部を通って出口通路２６内に流れることができる。
【００２９】
全体として参照番号６４で示される固定デバイスは、丸型フィルタエレメント２８がないか、間違った方法で装着されているか、又は間違ったタイプである場合に、フィルタヘッド１４によってフィルタカップ１６が閉鎖されることを防止する。
【００３０】
図２には、固定デバイス６４の領域のフィルタシステム１０が、フィルタ媒体４０から接続端部ディスク３６を見た方向の断面図で示されている。固定デバイス６４は、フィルタエレメント２８の接続端部ディスク３６上に配置された４つのフィルタエレメント案内通路部７０と、フィルタカップ１６のリム領域１８に配置された４つのリム案内通路部７２と、フィルタヘッド１４の受け領域２２に取り付けられた４つの固定ばね要素７４とを備える。フィルタエレメント案内通路部７０及びリム案内通路部７２は、丸型フィルタエレメント２８が適切に装着されている場合、図２に示すように相互を案内通路７６に補足し、案内通路７６は周方向に延在して、半径方向外側に配置される。固定ばね要素７４は、フィルタカップ１４をフィルタヘッド１６にねじ込むか、又はフィルタヘッド１４からフィルタカップ１６のねじを緩めると、案内通路７６上で案内される。
【００３１】
フィルタエレメント案内通路部７０は、半径方向及び周方向に延在する接続端部ディスク３６の半径方向外側リム領域６６内の突出部である。これらは、接続端部ディスク３６の周方向に均一に分布する。フィルタエレメント案内通路部７０の周方向の外面は、対称軸１２を含む面に延在している。しかし、これらは、それに対して傾斜して延在してもよい。案内通路部は、不均一になるか、又は異なる幅を有するように形成してもよい。これにより、フィルタエレメントの適切なコード化を提供することも可能である。
【００３２】
フィルタエレメント案内通路部７０それぞれの半径方向外側の案内表面７８は、対称軸１２に対して同軸で、丸型フィルタエレメント２８の内部を向いていない先端を有する想像上の円錐の外包絡面上に配置される。図２では、フィルタ媒体４０に面する案内表面７８のリムのみが図示されている。固定ばね要素７４は、フィルタカップ１６を丸型フィルタエレメント２８と共に挿入すると、案内表面７８に沿って軸方向に受け空間２２内へと案内することができ、したがって半径方向外側に曲げられる。
【００３３】
各案内表面７８は、半径方向内側に傾斜した傾斜面８０によって、フィルタエレメント案内通路部７０の一方側で周方向に隣接している。図２には、フィルタ媒体４０に面した傾斜面８０の縁部のみが図示されている。傾斜面８０は案内通路７６の一部であり、隣接するリム案内通路部７２それぞれの案内部８２の外輪郭と位置合わせする働きをする。これらの案内部については以下で説明する。
【００３４】
リム案内通路部７２は、図３に示すように、フィルタカップ１６のリム領域１８内に軸方向及び周方向に延在する非対称形の突出部である。４つのリム案内通路部７２が周方向に均一に分布する。周方向のリム案内通路部７２の外面は、フィルタエレメント案内通路部７０それぞれの隣接する外面に対して平坦に装着された状態で配置される。これらは、リム案内通路部７２及びフィルタエレメント案内通路部７０の半径方向外輪郭がギャップのない状態で相互の中を通る限り、それに対して傾斜して延在するか又は曲げられてもよい。リム案内通路部７２の周方向の延在は、フィルタエレメント案内通路部７０の周方向の間隔に対応し、したがってフィルタエレメント案内通路部７０間の自由領域と一致する。
【００３５】
リム案内通路部７２の半径方向外側リム案内表面８４は、対称軸１２に対してフィルタエレメント案内通路部７０の案内表面７８と同様に傾斜している。丸型フィルタエレメント２８が装着位置にある場合、リム案内通路部７２のリム案内表面８４は、フィルタエレメント案内通路部７０の案内表面７８と同じ想像上の円錐の外包絡表面に載っている。したがって、丸型フィルタエレメント２８を押し込むと、固定ばね要素７４もリム案内表面８４上で軸方向に案内することができ、したがって半径方向外側に曲げられる。したがって丸型フィルタエレメント２８を有するフィルタカップ１６を、軸方向で対称軸１２に対して任意の回転位置にてフィルタヘッド１４の受け領域２２に挿入することができる。
【００３６】
フィルタエレメント２８が装着されていると、リム案内表面８４はそれぞれ、リム案内通路部７２の個々の案内部８２によって隣接するフィルタエレメント案内通路部７０の傾斜面８０に面する側で周方向に隣接している。各案内部８２はその半径方向外側に案内表面８６を有し、それは傾斜面８０と同様に半径方向内側に傾斜している。
【００３７】
周方向でリム案内通路部８２に対向して配置されたリム案内通路部７２の側部はそれぞれ、閉塞部８８を形成する。閉塞部８８は、丸型フィルタエレメント２８が所定の位置にない状態で、フィルタカップ１６をフィルタヘッド１４にねじ込むと固定ばね要素７４が当たる止め部として働く。言うまでもなく、ばね要素は間違った種類のフィルタエレメントが装着されている場合、閉塞部８８にも当たる。
【００３８】
フィルタヘッド１４の受け領域２２は、受け領域２２に同軸で、それに対して周方向に延在する環状止め表面６８によって、軸方向に限定される。環状止め表面６８に沿って、４つの固定ばね要素７４が周方向に均一に分布する。固定ばね要素７４は、ほぼ長方形に曲げられ、それぞれが固定アーム７４ａ及びばねアーム７４ｂを有するばね板である。固定ばね要素７４はそれぞれ、その固定アーム７４ａでフィルタヘッド１４内に固定される。これに関して、固定アーム７４ａは対称軸１２に対して半径方向に向けられ、その自由端は外側を向いている。固定要素７４のばねアーム７４ｂは弛緩状態で、すなわち、フィルタカップ１６が装着されていない場合に、環状止め表面６８から外れたほぼ軸方向を向いている。図１では、張力を加えた状態のばねアーム７４ｂの１つが、装着されたフィルタカップ１６と共に平行線模様で示されている。それに隣接する右側には、ばねアーム７４ｂが平行線模様がなく、フィルタカップ１６が装着されていない場合の弛緩状態で示されている。固定ばね要素７４のばねアーム７４ｂは半径方向に弾性であり、フィルタヘッド１５４の受け領域２２の周方向では剛性である。固定ばね要素７４のばねアーム７４ｂの自由端の対面する内側は、弛緩状態で対称軸１２に同軸である円上に配置される。円の半径は、フィルタエレメント案内通路部７０の案内表面７６及びリム案内通路部７２のリム案内表面８４の縁部が配置される円の半径と少なくとも同じ大きさであり、この縁部はフィルタ媒体に面していない。これにより、ばねアーム７４ｂは、フィルタカップ１６を丸型フィルタエレメント２８と共にフィルタヘッド１４の受け領域２２に挿入すると、案内通路７６のリムと半径方向外側で係合することができる。
【００３９】
丸型フィルタエレメント２８を交換するには、最初にフィルタカップ１６を図２の矢印９０の方向でフィルタヘッド１４の受け領域２２からねじを緩めて外し、図１に示す吊り下げ構成で対称軸１２に平行で下方向に引き出す。これを実行する場合に、ばねアーム７４ｂは機械的張力で案内通路７６に沿って滑る。その後、丸型フィルタエレメント２８を対称軸１２に平行に、この時は開いているフィルタカップ１６から引き出す。
【００４０】
挿入される新しい丸型フィルタエレメントは、取り外した丸型フィルタエレメント２８に対応し、これは、接続端部ディスク３６に対向する端部ディスクが対称軸１２に平行にフィルタカップ１６へと先導する状態で挿入される。そのために、丸型フィルタエレメント２８はフィルタヘッド１６に対して周方向に位置合わせされ、したがってフィルタエレメント案内通路部７０はリム案内通路部７２の間で受けられ、それ故相互を案内通路７６に補足する。
【００４１】
フィルタカップ１６は丸型フィルタエレメント２８と共に、下から対称軸１２に平行にフィルタヘッド１４の受け領域２２に挿入され、ねじ込まれる。これを実行する場合に、フィルタヘッド１４に対するフィルタカップ１６の回転位置に応じて、固定ばね要素７４のばねアーム７４ｂが最初に、それぞれ傾斜したリム案内通路部７２又は傾斜したフィルタエレメント案内通路部７０によって半径方向外側に曲げられる。フィルタヘッド１４に対してフィルタカップ１６が図２の矢印９２で示す閉方向に回転すると、ばねアーム７４ｂが機械的張力で案内通路７６に沿って案内される。
【００４２】
フィルタエレメント案内通路部７０がない場合、図５に示すように、フィルタカップ１６がフィルタヘッド１４に対して閉方向（矢印９２）に回転すると、固定ばね要素７４がリム案内通路部７２の個々の閉塞部８８に当たり、フィルタカップ１６の閉鎖を防止する。フィルタヘッド１４がフィルタカップ１６に対して開方向（矢印９０）に回転すると、固定ばね要素７４は図４に示されるように、フィルタカップ１６を開放するためにリム案内通路部７２の案内部８２に沿って案内される。
【００４３】
間違った丸型フィルタエレメントを使用している場合、フィルタエレメント案内通路部７０は例えばリム案内通路部７２と一致しない。何故なら、その周方向の寸法が、リム案内通路部７２間の対応する自由領域より小さく、フィルタエレメント案内通路部７０とリム案内通路部７２の間にギャップが残るからである。これらのギャップに固定ばね要素７４が貫入し、フィルタカップ１６が閉方向９２に回転すると、リム案内通路部７２の対応する閉塞部８８と当たり、フィルタカップ１６がこれによりさらに回転することを防止する。
【００４４】
フィルタエレメント案内通路部７０間の自由領域がリム案内通路部７２にとって小さすぎるか、又はリム案内通路部７２の自由領域がフィルタエレメント案内通路部７０にとって小さすぎるか、又は案内通路部７０又は７２の位置が個々の他の案内通路部７２又は７０の自由領域と一致しない場合、丸型フィルタエレメント２８を装着する時に、フィルタエレメント案内通路部７０をリム案内通路部７２の間で押すことができない。フィルタカップ１６は、ねじ込むためにフィルタヘッド１４の受け領域２２へと軸方向に十分挿入することができない。丸型フィルタエレメント２８がフィルタカップ１６内に適切に装着されていない場合にも同じことが生じ、したがって接続端部ディスク３６が軸方向に突出する。これにより間違った組み立てが防止される。
【００４５】
図６に示す第２の実施形態では、図１から図５に示した第１の実施形態で説明したものと同様の要素が、１００を追加した状態で同じ参照番号で識別されており、したがってその説明に関しては、第１の実施形態の説明を参照されたい。この第２の実施形態は、４つの固定ばね要素１７４が接続端部ディスク１３６ではなく仕切り又は分離ディスク１９２に取り付けられ、分離ディスク１９２が原液流体にとって透過性であり、フィルタヘッド１１４とフィルタカップ１１６の間に配置されるという点で、第１の実施形態とは異なる。仕切りディスク１９２は、フィルタヘッド１１４の受けスリーブ１５８を担持する。さらに、固定ばね要素１７４は直角には曲がらず、直線であり、したがって個々の固定アーム１７４ａは仕切りディスク１９２のリム領域に省スペース型方法で軸方向に取り付けられる。
【００４６】
図７に示す第３の実施形態では、図１から図５で開示したような第１の実施形態と同様の要素に、２００を追加した状態で同じ参照番号が提供されており、したがって上記第１の実施形態の説明を参照されたい。第３の実施形態は、固定ばね要素２７４のばねアーム２７４ｂが複数回曲げられている点で、第１の実施形態とは異なる。ばねアーム２７４ｂの自由端は、対称軸１２に対して半径方向外側に斜めを向いている。全体的に、複数の曲げを有するばねアーム２７４ｂの形状は、受け空間２２２に軸方向に挿入し、ねじ込むと、丸型フィルタエレメント２２８を有するフィルタカップ２１６の案内を改善し、これにより組み立てを容易にする。さらに、固定ばね要素２７４の固定アーム２７４ａの自由端は半径方向内側を向き、したがってばねアーム２７４ｂは半径方向でさらに外側に配置される。
【００４７】
図８に示す第４の実施形態では、図６に示した第２の実施形態及び図７に示した第３の実施形態と同様の要素が、２００又は１００を追加した状態で同じ参照番号で識別され、したがって第２及び第３の実施形態に関する記載及び説明を参照されたい。固定ばね要素３７４の固定アーム３７４ａは、図６で説明した第２の実施形態のものと同様であり、仕切りディスク３９２に取り付けられるが、固定アーム３７４ａは半径方向内側を向いている。第４の実施形態は、ばねアーム３７４が直線でなく、図７の第３の実施形態と同様に数回曲げられているという点で、第２の実施形態とは異なる。
【００４８】
フィルタシステム１０、１１０、２１０、３１０及び丸型フィルタエレメント２８、１２８、２２８、３２８の以上で説明した実施形態のすべてで、特に以下の変更が可能である。
【００４９】
フィルタシステム１０、１１０、２１０、３１０は、自動車に使用する代わりに、産業用エンジン又は圧縮機との関連で使用することもできる。
【００５０】
フィルタカップ１６、１１６、２１６、３１６は、ねじ接続の代わりに、様々なタイプの回転及び／又はプラグイン接続、例えば差し込み接続によってフィルタヘッド１４、１１４、２１４、３１４に着脱式に接続することもできる。
【００５１】
カップ状の受け領域２２、１２２、２２２、３２２の代わりに、フィルタヘッドに受けソケットを設けた構成もあり、受けソケットに回転及び／又はプラグイン動作によって適切なフィルタカップを取り付けることもできる。これにより、フィルタヘッドの受け部をフィルタカップに挿入できるように、接続端部ディスクと固定デバイスが適切に一致する。
【００５２】
接続端部ディスク３６、１３６、２３６、３３６、第２の端部ディスク、及び支持パイプ３８、１３８、２３８、３３８は、プラスチックから作成する代わりに、別の好ましくは硬質であるが、それでも弾性である材料で作成することもできる。
【００５３】
フィルタカップ１６、１１６、２１６、３１６は、下から吊り下げる構成で取り付ける代わりに、上からフィルタヘッド１４、１１４、２１４、３１４に装着し、次にこれを逆さまにすることもできる。
【００５４】
フィルタカップ１６、１１６、２１６、３１６の代わりに、入口及び出口を有する別のハウジングも提供することができ、フィルタヘッド１４、１１４、２１４、３１４の代わりに、異なる方法でハウジングを閉鎖し、フィルタエレメントへのアクセスを提供するカバーを提供することもできる。
【００５５】
また、４より多いか又は少ないフィルタエレメント案内通路部７０、１７０、２７０、３７０及びリム案内通路部７２、１７２、２７２、３７２及び／又は固定ばね要素７４、１７４、２７４、３７４を提供することもできる。
【００５６】
リム案内通路部７２、１７２、２７２、３７２を、フィルタカップ１６、１１６、２１６、３１６上の代わりにフィルタヘッド１４、１１４、２１４、３１４上に配置することもできる。この場合、固定ばね要素７４、１７４、２７４、３７４をフィルタカップ１６、１１６、２１６、３１６に取り付けることができる。
【００５７】
弾性固定ばね要素７４、１７４、２７４、３７４の代わりに、個々の復元力によってプレテンションがかけられ、半径方向に屈曲可能である別の固定要素を使用することもできる。
【００５８】
本発明の原理を例示するために、本発明の特定の実施形態を示し、詳細に説明してきたが、本発明はこのような原理から逸脱することなく、他の方法でも実施することもできることを理解されたい。
【図１】
0005709300.tif 000002
【図２】
0005709300.tif 000003
【図３】
0005709300.tif 000004
【図４】
0005709300.tif 000005
【図５】
0005709300.tif 000006
【図６】
0005709300.tif 000007
【図７】
0005709300.tif 000008
【図８】
0005709300.tif 000009